(57)【特許請求の範囲】
【請求項１】
車両のインストルメントパネル部材に形成された開口部と、該開口部の周縁部から上記インストルメントパネル部材の裏面側へ向けて延設されてその内周部に上記インストルメントパネル部材の裏面側からスイッチ等取付部品が取付可能な第１リブ部材と、該第１リブ部材の基端部近傍の上記インストルメントパネル部材裏面に上記周縁部に沿って形成された溝部と、該溝部の外周から上記第１リブ部材と略平行に延設された第２リブ部材とを有するインストルメントパネル構造において、上記溝部から上記インストルメントパネル部材を破断して形成された第２開口部に、リング状板部の内周から第３リブ部材をかつ外周から第４リブ部材をそれぞれ略平行に上記インストルメントパネル部材の裏面側へ延設してなるガーニッシュを上記インストルメントパネル部材の表面側から挿入して第４リブ部材を上記第２リブ部材に係止するとともに、リング状板部内に上記ガーニッシュの裏面側から上記スイッチ等取付部品の先端部を挿入して基端部を上記第３リブ部材に係止させることを特徴とするインストルメントパネルへの部品取付方法。
【請求項２】
上記開口部はインストルメントパネル部材の表面に傾斜面を介して形成された浅凹部に形成されると共に上記溝部は上記浅凹部の外周部に形成され、上記溝部の破断により形成された第２開口部に上記ガーニッシュを挿入する際には、上記リング状板部の外周縁部を上記傾斜面に当接させることを特徴とする請求項１記載のインストルメントパネルへの部品取付方法。
【発明の詳細な説明】
【０００１】
【発明の属する技術分野】
本発明は、自動車等車両のインストルメントパネルへの部品取付方法に関する。
【０００２】
【従来の技術】
自動車等車両のインストルメントパネルには、リヤワイパ，リヤデフフォッガ等の電装品を切換操作するためのスイッチが取り付けられることは良く知られている。
【０００３】
例えば、図４に示すように、インストルメントパネル１００のスイッチ取付用孔１００ａには、予めスイッチガーニッシュ１０１が取り付けられ、このスイッチガーニッシュ１０１にスイッチ１０２をインストルメントパネル１００の裏面側から取り付けている。即ち、スイッチガーニッシュ１０１の開口部１０１ａ内にスイッチ１０２の先端部（ノブ側）が挿入されると共に、スイッチ１０２の基端部（ケース側）がスイッチガーニッシュ１０１のリブ部材１０１ｂに係止されるのである。
【０００４】
【発明が解決しようとする課題】
ところが、上述したような従来のインストルメントパネル構造にあっては、インストルメントパネル１００と別部品のスイッチガーニッシュ１０１を用いることから、部品点数の増大でコスト高となると共に取付工数も増大するという不具合があった。また、インストルメントパネル１００とスイッチガーニッシュ１０１との間に隙間が生じて見栄えも悪かった。
【０００５】
尚、スイッチガーニッシュ等を用いない例として、実公平２−４４５７９号公報や実公平４−５４９号公報等に開示されたものがあるが、これらはすべてスイッチ等をインストルメントパネルの表面側から取り付けるもので、インストルメントパネルの裏面側から取り付ける本願発明とは技術思想が異なる。
【０００６】
本発明の目的は、部品点数の削減でコストダウン，取付作業性向上及び見栄えの改善が図れるインストルメントパネルへの部品取付方法を提供することにある。
【０００７】
【課題を解決するための手段】
上記目的を達成するための、本発明の請求項１に係るインストルメントパネルへの部品取付方法は、車両のインストルメントパネル部材に形成された開口部と、該開口部の周縁部から上記インストルメントパネル部材の裏面側へ向けて延設されてその内周部に上記インストルメントパネル部材の裏面側からスイッチ等取付部品が取付可能な第１リブ部材と、該第１リブ部材の基端部近傍の上記インストルメントパネル部材裏面に上記周縁部に沿って形成された溝部と、該溝部の外周から上記第１リブ部材と略平行に延設された第２リブ部材とを有するインストルメントパネル構造において、上記溝部から上記インストルメントパネル部材を破断して形成された第２開口部に、リング状板部の内周から第３リブ部材をかつ外周から第４リブ部材をそれぞれ略平行に上記インストルメントパネル部材の裏面側へ延設してなるガーニッシュを上記インストルメントパネル部材の表面側から挿入して第４リブ部材を上記第２リブ部材に係止するとともに、リング状板部内に上記ガーニッシュの裏面側から上記スイッチ等取付部品の先端部を挿入して基端部を上記第３リブ部材に係止させることを特徴とする。
【０００８】
これによれば、スイッチ等取付部品の交換等をインストルメントパネルを外さないで行える。
【０００９】
また、本発明の請求項２に係るインストルメントパネルへの部品取付方法は、請求項１の部品取付方法において、上記開口部はインストルメントパネル部材の表面に傾斜面を介して形成された浅凹部に形成されると共に上記溝部は上記浅凹部の外周部に形成され、上記溝部の破断により形成された第２開口部に上記ガーニッシュを挿入する際には、上記リング状板部の外周縁部を上記傾斜面に当接させることを特徴とする。
【００１０】
これによれば、上記溝部における破断部が遮蔽されて見栄えが良くなる。
【００１３】
【発明の実施の形態】
以下、本発明に係るインストルメントパネル構造及び該構造を有したインストルメントパネルへの部品取付方法を実施例により詳細に説明する。
【００１４】
［実施例］
図１は本発明の一実施例を示すインストルメントパネルの斜視図、図２は図１の要部拡大側断面図、図３は図２の異なった取付例の側断面図である。
【００１５】
図１に示すように、インストルメントパネル１にはグローブボックス２，カップホルダ３及びサングラスポケット４等の内装品が設けられると共に、リヤワイパ，リヤデフフォッガ等の電装品を切換操作するためのスイッチ５が取り付けられる。
【００１６】
前記インストルメントパネル１のスイッチ取付部表面は、図２に示すように、傾斜面（テーパ面）６を介して浅凹部７に形成され、この浅凹部７にスイッチ取付用の開口部８が形成される。
【００１７】
前記開口部８の周縁部から前記インストルメントパネル１の裏面側へ向けて第１リブ部材９が延設されると共に、この第１リブ部材９の基端部近傍の前記インストルメントパネル１裏面には前記開口部８と略同一軸心を有する略環状の溝部１０が形成される。また、前記溝部１０の外周から前記第１リブ部材９と略平行に第２リブ部材１１が延設されている。
【００１８】
そして、前記スイッチ５は、前記インストルメントパネル１の裏面側から取り付けられて先端部（ノブ５ａ側）が前記開口部８に挿入されるとともに基端部（ケース５ｂ側）が前記第１リブ部材９に係止されている。
【００１９】
即ち、ケース５ｂの外面に付設された係合突起１２が第１リブ部材９に形成された係合孔１３に係合して、前記スイッチ５が前記インストルメントパネル１の裏面側に抜け止めされるのである。尚、前記スイッチ５の前記インストルメントパネル１の表面側への抜け止めは、ケース５ｂの肩部が前記開口部８の下端周縁部１４に当たることで達成される。
【００２０】
このようにして、本実施例では、スイッチ５を、ガーニッシュを用いずに、インストルメントパネル１に直接取り付けることができるので、部品点数の削減でコストダウンが図れる。また、取付工数も削減でき、生産性が向上する。さらに、従来生じていたインストルメントパネル１とガーニッシュとの隙間が無いので見栄えも良い。
【００２１】
一方、スイッチ５を交換するときは、既設のスイッチ５を取り付けたまま溝部１０におけるインストルメントパネル１の薄肉部をカッタ等で破断すれば、既設のスイッチ５は取り外せる。
【００２２】
この後、図３に示すように、溝部１０を破断して形成された開口部８’に、リング状板部１６の内周から第３リブ部材１７をかつ外周から第４リブ部材１８をそれぞれ略平行に前記インストルメントパネル１の裏面側へ延設してなるガーニッシュ１５を前記インストルメントパネル１の表面側から挿入して第４リブ部材１８を前記第２リブ部材１１に係止する。
【００２３】
これにより、ガーニッシュ１５は、インストルメントパネル１の傾斜面６とガーニッシュ１５のリング状板部１６外周縁との当接によりインストルメントパネル１の裏面側への抜け止めが、またインストルメントパネル１の第２リブ部材１１下端とガーニッシュ１５の第４リブ部材１８下端の径大部１９との当接によりインストルメントパネル１の表面側への抜け止めが、それぞれ図られるのである。
【００２４】
この後、前記ガーニッシュ１５の裏面側から操作して、新しいスイッチ５’の先端部（ノブ５ａ側）を前記リング状板部１６の内周縁内に挿入するとともに基端部（ケース５ｂ側）を前記第３リブ部材１７に係止させる。
【００２５】
これにより、ケース５ｂの外面に付設された係合突起１２が第３リブ部材１７に形成された係合孔１７に係合して、前記スイッチ５’が前記ガーニッシュ１５の裏面側に抜け止めされるのである。尚、前記スイッチ５’の前記ガーニッシュ１５の表面側への抜け止めは、ケース５ｂの肩部が前記リング状板部１６の内周縁の段部２１に当たることで達成される。
【００２６】
このようにして、本実施例では、スイッチ５からスイッチ５’へ交換する際は、インストルメントパネル１を外さずに行えるので、取付工数を大幅に削減することができ、整備性が一段と向上する。
【００２７】
また、この際、ガーニッシュ１５のリング状板部１６外周がインストルメントパネル１表面の傾斜面６に当たることで、前記溝部１０（開口部８’）における破断部が遮蔽されるので見栄えが良くなる。
【００２８】
尚、本実施例中で説明したガーニッシュ１５のリング状板部１６は、円環形状に限るものでなく、わっか形状に設けられていれば、外周形状が四角形や長方形などの矩形形状でも良いし、多角形形状であっても差し支えない。
【００２９】
また、本実施例では、インストルメントパネル１にスイッチ５，５’を取り付ける例を示したが、スイッチ５，５’に限らず、その他の電装品や時計部品，表示灯及び警告灯等の取付にも本発明は適用できる。また、本発明は開口部８，８’を盲蓋で閉塞することで、スイッチレス車にも適用できる。
【００３０】
【発明の効果】
以上説明したように本発明に係るインストルメントパネル構造によれば、インストルメントパネル部材に形成された開口部の周縁部から上記インストルメントパネル部材の裏面側へ向けて第１リブ部材を延設し、上記インストルメントパネル部材の裏面側からスイッチ等取付部品を操作して、その先端部を上記開口部に挿入するとともに基端部を上記第１リブ部材に係止させるので、インストルメントパネル部材の裏面側からスイッチ等取付部品を少ない工数で簡単に取り付けられる一方、部品点数の削減でコストダウンと見栄えの改善が図れる。
【００３１】
また、上記構造において、上記第１リブ部材の基端部近傍の上記インストルメントパネル部材裏面に上記周縁部に沿って溝部を形成することで、当該溝部からインストルメントパネルを容易に破断でき、種々の仕様に対応できる。
【００３２】
本発明に係るインストルメントパネルへの部品取付方法によれば、開口部と第１リブ部材を介してインストルメントパネル部材の裏面側からスイッチ等取付部品が取付可能なインストルメントパネル部材の裏面に、上記開口部周縁に沿って溝部を形成すると共に該溝部の外周から上記第１リブ部材と略平行に第２リブ部材を延設しておき、上記溝部から上記インストルメントパネル部材を破断して形成された第２開口部に、リング状板部の内周から第３リブ部材をかつ外周から第４リブ部材をそれぞれ略平行に上記インストルメントパネル部材の裏面側へ延設してなるガーニッシュを上記インストルメントパネル部材の表面側から挿入して第４リブ部材を上記第２リブ部材に係止するとともに、リング状板部内に上記ガーニッシュの裏面側から上記スイッチ等取付部品の先端部を挿入して基端部を上記第３リブ部材に係止させるので、スイッチ等取付部品の交換等をインストルメントパネルを外さないで行え、整備性の向上が図れる。
【図面の簡単な説明】
【図１】本発明の一実施例を示すインストルメントパネルの斜視図である。
【図２】図１の要部拡大側断面図である。
【図３】図２の異なった取付例の側断面図である。
【図４】従来構造の側断面図である。
【符号の説明】
１  インストルメントパネル
５，５’  スイッチ
６  傾斜面
８，８’  開口部
９  第１リブ部材
１０  溝部
１１  第２リブ部材
１５  ガーニッシュ
１６  リング状板部
１７  第３リブ部材
１８  第４リブ部材
【図１】
0003596224.tif 000002
【図２】
0003596224.tif 000003
【図３】
0003596224.tif 000004
【図４】
0003596224.tif 000005